(57)【要約】  本発明の医療用コネクタは、ハウジングが、円筒状のオスコネクタ接続口に連なると共に該オスコネクタ接続口よりも拡径された円筒状の内周面を有する弁体収容部を備え、弁体の頭部は、該頭部の上面及び外周面に開口可能なスリットを備えると共に、径方向への圧縮力が付与されていない自然状態において、前記スリットと直交する方向の幅である第１幅が、前記スリットに沿う方向の幅である第２幅よりも大きく、前記弁体の胴部は、前記弁体収容部の内周面の内径と略一致する外径の円筒状の外周面を有していることを特徴とする。
2016157886.tif 000002
【特許請求の範囲】
【請求項１】
オスコネクタ接続部及び医療器具接続部を有するハウジングと、前記オスコネクタ接続部のオスコネクタ接続口を開閉する弁体とを備える医療用コネクタにおいて、
前記ハウジングは、円筒状の前記オスコネクタ接続口に連なると共に該オスコネクタ接続口よりも拡径された円筒状の内周面を有する弁体収容部を備え、
前記弁体は、頭部、及び該頭部に連なる胴部を備え、
前記頭部は、該頭部の上面及び外周面に開口可能なスリットを備えると共に、径方向への圧縮力が付与されていない自然状態において、前記スリットと直交する方向の幅である第１幅が、前記スリットに沿う方向の幅である第２幅よりも大きく、
前記胴部は、前記弁体収容部の内周面の内径と略一致する外径の円筒状の外周面を有しており、
前記オスコネクタ接続口へのオスコネクタの挿入により、前記頭部が前記オスコネクタ接続口から前記弁体収容部内に移動して前記スリットが開き、前記オスコネクタ接続部から前記医療器具接続部への流路が形成されることを特徴とする医療用コネクタ。
【請求項２】
前記弁体の前記頭部における前記第１幅は、前記自然状態において、前記第１幅と同一方向の前記胴部の幅と略一致する、請求項１に記載の医療用コネクタ。
【請求項３】
前記弁体の前記頭部は楕円形をなしており、該楕円の短軸に沿って前記スリットが形成されている、請求項１又は２に記載の医療用コネクタ。
【請求項４】
前記弁体収容部の外側には、前記医療器具接続部内の流路に繋がる流体連通路が設けられており、
前記弁体収容部の内周面には、前記流体連通路に繋がる連通孔が設けられている、請求項１〜３のいずれか一項に記載の医療用コネクタ。
【請求項５】
前記弁体の前記スリットは、前記頭部の外周面に１箇所のみで開口可能であり、
前記弁体は、前記ハウジングに対して周方向に回転しないように、且つ、前記オスコネクタの挿入時に前記スリットの前記頭部の外周面における開口部が前記連通孔と対向するように配置されている、請求項４に記載の医療用コネクタ。
【請求項６】
前記弁体は、前記胴部の下端部に沿って周設されると共に前記弁体収容部内を摺動可能な環状のシール突起を備える、請求項１〜５のいずれか一項に記載の医療用コネクタ。
【請求項７】
前記弁体は、前記胴部に連なると共に前記弁体収容部内で収縮変形可能な蛇腹部として形成された脚部を備える、請求項１〜６のいずれか一項に記載の医療用コネクタ。
【発明の詳細な説明】
【技術分野】
【０００１】
本発明は、オスコネクタ接続部及び医療器具接続部を有するハウジングと、前記オスコネクタ接続部のオスコネクタ接続口を開閉する弁体とを備える医療用コネクタに関し、特に、オスコネクタ接続部でのオスコネクタの挿入及び抜去に伴う医療器具接続部での流体の排出及び吸引の発生を抑制すると共に、医療用コネクタ内で生じる流体の滞留部（デッドスペース）を縮小しようとするものである。
【背景技術】
【０００２】
従来、例えば医療用の各種機器や輸液容器、送液器具などで用いられ、医療器具の管体を接続するための医療用コネクタとして、例えば、特許文献１に記載されるように、オスコネクタ接続部及び医療器具接続部を有するハウジングと、前記オスコネクタ接続部のオスコネクタ接続口を開閉する弁体とを備えるものが知られている。【０００３】
特許文献１の図３７に示される医療用コネクタは、オスコネクタ接続口へのオスコネクタの挿入により、弁体の脚部が収縮変形すると共に頭部がオスコネクタ接続口から医療用コネクタ内に押し込まれて頭部に設けられたスリットが開き、オスコネクタ接続部から医療器具接続部への流路が形成されるようになっている。
【先行技術文献】
【特許文献】
【０００４】
【特許文献１】特表２０１３−５００４５３号公報
【発明の概要】
【発明が解決しようとする課題】
【０００５】
特許文献１の図３７に示されるような構成の医療用コネクタでは、オスコネクタ接続部でのオスコネクタの挿入時には医療器具接続部において流体の吸引が生じ、オスコネクタ接続部でのオスコネクタの抜去時には医療器具接続部において流体の排出が生じることになる。しかしながら、このような、オスコネクタ接続部でのオスコネクタの挿入及び抜去に伴う医療器具接続部での流体の排出及び吸引の発生は、できるだけ抑制することが望ましい。【０００６】
また、このような医療用コネクタは、オスコネクタ接続部へのオスコネクタの接続時に医療用コネクタ内に生じるデッドスペースが、できるだけ小さいものが望ましい。【０００７】
本発明は、前記の要望に応えるために開発されたもので、オスコネクタ接続部でのオスコネクタの挿入及び抜去に伴う医療器具接続部での流体の排出及び吸引の発生を抑制すると共に、医療用コネクタ内で生じるデッドスペースを縮小した医療用コネクタを提供することを目的とする。
【課題を解決するための手段】
【０００８】
本発明の医療用コネクタは、オスコネクタ接続部及び医療器具接続部を有するハウジングと、前記オスコネクタ接続部のオスコネクタ接続口を開閉する弁体とを備える医療用コネクタにおいて、前記ハウジングは、円筒状の前記オスコネクタ接続口に連なると共に該オスコネクタ接続口よりも拡径された円筒状の内周面を有する弁体収容部を備え、前記弁体は、頭部、及び該頭部に連なる胴部を備え、前記頭部は、該頭部の上面及び外周面に開口可能なスリットを備えると共に、径方向への圧縮力が付与されていない自然状態において、前記スリットと直交する方向の幅である第１幅が、前記スリットに沿う方向の幅である第２幅よりも大きく、前記胴部は、前記弁体収容部の内周面の内径と略一致する外径の円筒状の外周面を有しており、前記オスコネクタ接続口へのオスコネクタの挿入により、前記頭部が前記オスコネクタ接続口から前記弁体収容部内に移動して前記スリットが開き、前記オスコネクタ接続部から前記医療器具接続部への流路が形成されることを特徴とする。【０００９】
ここで、本発明において、弁体の胴部が有する円筒状の外周面の外径が、弁体収容部の円筒状の内周面の内径と「略一致する」とは、弁体の胴部の外周面の外径が、弁体収容部の内周面の内径の０．７〜１．１倍の範囲にあることを意味し、より好ましくは０．８〜１．０倍の範囲とし、さらに好ましくは０．８５〜０．９５倍の範囲とする。弁体の胴部の外周面の外径が弁体収容部の内周面の内径の０．７倍未満であると、オスコネクタの挿入時に生じるデッドスペースが大きくなり過ぎると共にオスコネクタの抜去時に排出される流体の量が多くなり過ぎるからであり、弁体の胴部の外周面の外径が弁体収容部の内周面の内径の１．１倍を超えると、弁体収容部内での弁体の胴部のスムーズな移動が確保できなくなるためである。【００１０】
また、本発明の医療用コネクタは、前記弁体の前記頭部における前記第１幅が、前記自然状態において、前記第１幅と同一方向の前記胴部の幅と略一致することが好ましい。
ここで、弁体の頭部における第１幅が第１幅と同一方向の胴部の幅と「略一致する」とは、頭部の幅が胴部の幅の０．８〜１．４倍の範囲にあることを意味し、より好ましくは０．９〜１．３倍の範囲とし、さらに好ましくは１〜１．２倍の範囲とする。頭部の幅を胴部の幅の０．８倍以上とすることで、オスコネクタの抜去時に排出される流体の量をより確実に小さくすることができ、頭部の幅を胴部の幅の１．４倍以下とすることで、オスコネクタの挿入時にスリットをより確実に十分に開かせることができるためである。【００１１】
また、本発明の医療用コネクタは、前記弁体の前記頭部が楕円形をなしており、該楕円の短軸に沿って前記スリットが形成されていることが好ましい。【００１２】
また、本発明の医療用コネクタは、前記弁体収容部の外側には、前記医療器具接続部内の流路に繋がる流体連通路が設けられており、前記弁体収容部の内周面には、前記流体連通路に繋がる連通孔が設けられていることが好ましい。【００１３】
また、本発明の医療用コネクタは、前記弁体の前記スリットが、前記頭部の外周面に１箇所のみで開口可能であり、前記弁体は、前記ハウジングに対して周方向に回転しないように、且つ、前記オスコネクタの挿入時に前記スリットの前記頭部の外周面における開口部が前記連通孔と対向するように配置されていることが好ましい。【００１４】
また、本発明の医療用コネクタは、前記弁体が、前記胴部の下端部に沿って周設されると共に前記弁体収容部内を摺動可能な環状のシール突起を備えることが好ましい。【００１５】
また、本発明の医療用コネクタは、前記弁体が、前記胴部に連なると共に前記弁体収容部内で収縮変形可能な蛇腹部として形成された脚部を備えることが好ましい。
【発明の効果】
【００１６】
本発明によれば、オスコネクタ接続口へのオスコネクタの挿入により、弁体の頭部がオスコネクタ接続口から弁体収容部内に移動して前記頭部に設けられたスリットが開き、オスコネクタ接続部から医療器具接続部への流路が形成される。そして本発明では、弁体の胴部の円筒状の外周面が弁体収容部の内周面の内径と略一致する外径を有しているため、オスコネクタ挿入時に弁体の胴部と弁体収容部との間に生じるデッドスペースを縮小することができると共に、オスコネクタ接続部でのオスコネクタの挿入及び抜去に伴う医療器具接続部での流体の排出及び吸引の発生を抑制することができる。【００１７】
また、本発明では、弁体の頭部は、径方向への圧縮力が付与されていない自然状態において、スリットと直交する方向の幅である第１幅が、スリットに沿う方向の幅である第２幅よりも大きくなっている。したがって、弁体の頭部が円筒状のオスコネクタ接続口内に位置するときはスリットが閉じる方向に押圧されており、前記頭部によってオスコネクタ接続口が閉塞される。また、弁体の頭部がオスコネクタ接続口から該オスコネクタ接続口よりも拡径された弁体収容部内に移動すると、前記頭部が自然状態に戻ろうとしてスリットが開きやすい状態となり、オスコネクタ接続部から医療器具接続部への流路を形成させやすくすることができる。したがって、スリットを開かせるために弁体の頭部を上下方向に圧縮させる必要がなく、又はその必要性を低減することができるため、前記頭部の上下方向及び径方向の収縮及び膨張変形を殆ど伴うことなくオスコネクタの挿入及び抜去を行うことができる。その結果、前記頭部の弾性変形に伴う流路容積の変動を抑えることができるため、この点からも、オスコネクタ接続部でのオスコネクタの挿入及び抜去に伴う医療器具接続部での流体の排出及び吸引の発生を抑制することができる。【００１８】
したがって、本発明によれば、オスコネクタ接続部でのオスコネクタの挿入及び抜去に伴う医療器具接続部での流体の排出及び吸引の発生を抑制すると共に、医療用コネクタ内で生じるデッドスペースを縮小した医療用コネクタを提供することができる。
【図面の簡単な説明】
【００１９】
【図１】本発明の一実施形態に係る医療用コネクタの縦断面図であり、オスコネクタ非挿入時の状態を示す。
【図２】図１に示す医療用コネクタの斜視図である。
【図３】図１に示す医療用コネクタの縦断面斜視図である。
【図４】図１に示す医療用コネクタの弁体の自然状態における斜視図である。
【図５】図４に示す弁体の自然状態における他の角度から見た斜視図である。
【図６】図４に示す弁体の自然状態における平面図である。
【図７】図１に示す医療用コネクタの平面図である。
【図８】図１に示す医療用コネクタの内側ハウジングの斜視図である。
【図９】図８に示す内側ハウジングの他の角度から見た斜視図である。
【図１０】図８に示す内側ハウジングの更なる他の角度から見た斜視図である。
【図１１】図１に示す医療用コネクタの外側ハウジングの斜視図である。
【図１２】図１に示す医療用コネクタの縦断面図であり、オスコネクタ挿入時の状態を示す。
【発明を実施するための形態】
【００２０】
以下、図１〜図１２を参照して、本発明の一実施形態に係る医療用コネクタについて詳細に例示説明する。
なお、本明細書において、上下方向とは、医療用コネクタのオスコネクタ接続部の中心軸線に沿う方向を意味し、上方はオスコネクタの抜去方向（すなわち、図１における上方）を意味し、下方はオスコネクタの挿入方向（すなわち、図１における下方）を意味するものとする。
【００２１】
図１〜図３に示すように、医療用コネクタ１は、オスコネクタ接続部２及び医療器具接続部３を有するハウジング４と、オスコネクタ接続部２のオスコネクタ接続口５を開閉する弁体６とを備えている。また、ハウジング４は、円筒状のオスコネクタ接続口５に連なると共に該オスコネクタ接続口５よりも拡径された円筒状の内周面を有する弁体収容部７を備えている。
【００２２】
ハウジング４は、本実施形態では、外側ハウジング４ａと内側ハウジング４ｂとを備え、外側ハウジング４ａを内側ハウジング４ｂに固定することで構成されている。なお、外側ハウジング４ａと内側ハウジング４ｂとは、互いに、例えば溶接又は接着などによって固定されている。また、外側ハウジング４ａ及び内側ハウジング４ｂを合成樹脂製とする場合には、例えば熱溶着などを用いて固定してもよい。本例では、外側ハウジング４ａと内側ハウジング４ｂの２部材によってハウジング２を構成しているが、これに代え、採用する製造方法に従って、例えば１部材又は３部材構成とすることもできる。なお、弁体６の素材としては、例えば、ゴム材料や熱可塑性エラストマなどを用いることが好ましい。
【００２３】
外側ハウジング４ａは、上端部に軸線Ｏを中心とする円筒状のオスコネクタ接続部２を有する。オスコネクタ接続部２のオスコネクタ接続口５の下方には、弁体収容部７の上端部７ａが形成されている。オスコネクタ接続部２の外周面上端部には、本例では、ルアーロックタイプのオスコネクタを固定するためのロック用突起８が形成されている。なお、当該ロック用突起８は省略することも可能である。オスコネクタ接続部２の下端には、径方向外側に延びるフランジ壁部９を介して円筒状の外周壁部１０が垂設されている。
【００２４】
弁体６は、図１〜図７に示すように、オスコネクタ接続部２の円筒状のオスコネクタ接続口５を開閉する頭部１１を有している。頭部１１は、軸線Ｏを中心とする円筒状をなしている。また、頭部１１は、該頭部１１に径方向への圧縮力が付与されていない自然状態において頭部１１の上面及び外周面に開口しているスリット１２を備えている。さらに、頭部１１は、前記自然状態において、スリット１２と直交する方向の幅である第１幅Ｗ１が、スリット１２に沿う方向の幅である第２幅Ｗ２よりも大きく構成されている（図６参照）。
【００２５】
本実施形態では、頭部１１は、平面視で前記自然状態において楕円形をなしており、該楕円の短軸に沿ってスリット１２が形成されている。図７に実線で示すように、頭部１１が円筒状のオスコネクタ接続口５内に位置するときは、第１幅Ｗ１よりもオスコネクタ接続口５の内径の方が小さいため、オスコネクタ接続口５によって頭部１１が径方向に圧縮されてスリット１２が閉じている。一方、頭部１１がオスコネクタ接続口５から弁体収容部７内に移動すると、図７に二点鎖線で示すように、頭部１１が自然状態に戻ろうとしてスリット１２が開くようになっている。
【００２６】
頭部１１には、円筒状の外周面を有する胴部１３が連なっている。頭部１１における第１幅Ｗ１は、前記自然状態において、第１幅Ｗ１と同一方向の胴部１３の幅（すなわち、円筒状の胴部１３の直径）と略一致（本実施形態では、頭部１１の幅が胴部１３の幅の１倍）している。
【００２７】
胴部１３は、弁体収容部７の内周面の内径と略一致する外径の円筒状の外周面を有している。より具体的には、本実施形態では、胴部１３の外周面の外径は４．４ｍｍ、弁体収容部７の内周面の内径は４．８ｍｍであり、胴部１３の外周面の外径は弁体収容部７の内周面の内径の０．９１倍である。なお、図１、図３、図７及び図１２において、胴部１３の外周面と弁体収容部７の内周面との間の隙間の図示は省略している。胴部１３には、本実施形態では、弁体収容部７内で収縮変形可能な蛇腹部として形成された脚部１４が連なっている。蛇腹部として形成された脚部１４の内側は、頭部１１と反対側の端部に開口する中空部１５となっている。脚部１４の上端部には、胴部１３の下端部に沿って周設されると共に弁体収容部７内を摺動可能な環状のシール突起１６が設けられている。脚部１４の下端部には、弁体収容部７に形成された凸部１７と係合して弁体６の周方向の回転を防止する凹部１８が形成されている。
【００２８】
内側ハウジング４ｂには、図１、図３及び図８〜図１０に示すように、弁体収容部７の上端部７ａを除く部分７ｂが形成されている。当該部分７ｂは、軸線Ｏを中心とする円筒状の内周壁部１９の内周面と、内周壁部１９の下端部に連なる底壁部２０の上面とによって区画されている。底壁部２０の上面中央には、上方に突出すると共に弁体６の中空部１５に挿入される挿入突起２１が形成されている。また、底壁部２０の上面には、前述した弁体６の凹部１８と係合して弁体６の周方向の回転を防止する凸部１７が形成されている。
【００２９】
挿入突起２１及び凸部１７には、弁体６の中空部１５を内周壁部１９の外周側の空間に繋ぐ第１通気路２２が形成されている。また、内周壁部１９には、弁体収容部７の内周面と弁体６の脚部１４の外周面とで区画される空間を、内周壁部１９の外周側の空間に繋ぐ第２通気路２３が形成されている。第１通気路２２及び第２通気路２３は、それぞれ、内周壁部１９と外側ハウジング４ａの外周壁部１０との隙間を介して医療用コネクタ１の外部空間へと通じている。
【００３０】
内周壁部１９の内周面には、内周壁部１９の外周側に貫通する連通孔２４が設けられている。また、底壁部２０の下部には、医療器具接続部３が形成されている。内周壁部１９の下端部には、医療器具接続部３内の流路を内周壁部１９の外周側の空間に繋ぐ貫通孔２５が形成されている。連通孔２４及び貫通孔２５の双方は、略矩形状のシール突起２６によって包囲されている（図８参照）。シール突起２６の内側は、シール突起２６の外側よりも凹んだ凹溝部２７として形成されている。また、内周壁部１９の上端縁部には、円環状のシール突起２８が周設されている。なお、シール突起２６，２８は、ゴムや熱可塑性エラストマなどの弾性材料からなる別部材として構成し、内周壁部１９に接着してもよいし、インサート成形などによって合成樹脂製の内周壁部１９と一体に形成してもよい。
【００３１】
このように、本実施形態では、弁体収容部７の外側には、医療器具接続部３内の流路に繋がる流体連通路２９（凹溝部２７及び外周壁部１０で区画される連通路と貫通孔２５とで構成）が設けられており、弁体収容部７の内周面には、流体連通路２９に繋がる連通孔２４が設けられている。
【００３２】
また、本実施形態では、弁体６のスリット１２は、前記自然状態において、頭部１１の外周面に１箇所のみで開口しており、弁体６は、前述した凸部１７と凹部１８との係合により、ハウジング４に対して周方向に回転しないように、且つ、オスコネクタＣの挿入時にスリット１２の頭部１１の外周面における開口部が連通孔２４と対向するように（図１２参照）配置されている。
【００３３】
なお、本実施形態では、図１１に示すように、外側ハウジング４ａの外周壁部１０の内周面には、位置決め用突起３０が形成されており、該位置決め用突起３０は、図９に示した位置決め用凹部３１と係合するようになっている。
【００３４】
以上説明したように、本実施形態に係る医療用コネクタ１は、オスコネクタ接続部２及び医療器具接続部３を有するハウジング４と、オスコネクタ接続部２のオスコネクタ接続口５を開閉する弁体６とを備えている。また、ハウジング４は、円筒状のオスコネクタ接続口５に連なると共に該オスコネクタ接続口５よりも拡径された円筒状の内周面を有する弁体収容部７を備え、弁体６は、頭部１１、及び該頭部１１に連なる胴部１３を備え、頭部１１は、径方向への圧縮力が付与されていない自然状態において頭部１１の上面及び外周面に開口しているスリット１２を備えると共に、前記自然状態において、スリット１２と直交する方向の幅である第１幅Ｗ１が、スリット１２に沿う方向の幅である第２幅Ｗ２よりも大きく、胴部１３は、弁体収容部７の内周面の内径と略一致する外径の円筒状の外周面を有している。
【００３５】
そして、医療用コネクタ１は、図１２に示すように、オスコネクタ接続口５へのオスコネクタＣの挿入により、頭部１１がオスコネクタ接続口５から弁体収容部７内に移動してスリット１２が開き（図７における二点鎖線参照）、オスコネクタ接続部２から医療器具接続部３への流路が形成されるように構成されている。
【００３６】
したがって、本実施形態に係る医療用コネクタ１によれば、弁体６の胴部１３の円筒状の外周面が弁体収容部７の内周面の内径と略一致する外径を有していることから、オスコネクタＣ挿入時に弁体６の胴部１３と弁体収容部７との間に生じるデッドスペースを縮小することができると共に、オスコネクタ接続部２でのオスコネクタＣの挿入及び抜去に伴う医療器具接続部３での流体の排出及び吸引の発生を抑制することができる。
【００３７】
また、本実施形態に係る医療用コネクタ１によれば、弁体６の頭部１１は、径方向への圧縮力が付与されていない自然状態において、スリット１２と直交する方向の幅である第１幅Ｗ１が、スリット１２に沿う方向の幅である第２幅Ｗ２よりも大きくなっていることから、弁体６の頭部１１が円筒状のオスコネクタ接続口５内に位置するときはスリット１２が閉じ、頭部１１によってオスコネクタ接続口５が閉塞される。また、弁体６の頭部１１がオスコネクタ接続口５から該オスコネクタ接続口５よりも拡径された弁体収容部７内に移動すると、頭部１１が自然状態に戻ろうとしてスリット１２が開き、オスコネクタ接続部２から医療器具接続部３への流路が形成される。
【００３８】
したがって、スリット１２を開かせるために弁体６の頭部１１を上下方向に圧縮させる必要がないため、頭部１１の上下方向及び径方向の収縮及び膨張変形を殆ど伴うことなくオスコネクタＣの挿入及び抜去を行うことができる。その結果、頭部１１の弾性変形に伴う流路容積の変動を抑えることができるため、この点からも、オスコネクタ接続部２でのオスコネクタＣの挿入及び抜去に伴う医療器具接続部３での流体の排出及び吸引の発生を抑制することができる。
【００３９】
さらに、本実施形態に係る医療用コネクタ１では、弁体６の頭部１１における第１幅Ｗ１が、前記自然状態において、第１幅Ｗ１と同一方向の胴部１３の幅と略一致しているので、第１幅Ｗ１と弁体収容部７の内周面の内径とが略一致するため、オスコネクタＣの抜去時に排出される流体の量をより確実に小さくできると共に、オスコネクタＣの挿入時にスリット１２をより確実に十分に開かせることができる。
【００４０】
また、本実施形態に係る医療用コネクタ１では、弁体６の頭部１１が楕円形をなしており、該楕円の短軸に沿ってスリット１２が形成されているので、頭部１１によるオスコネクタ接続口５のスムーズな開閉動作を確保する一方で、オスコネクタ接続部２でのオスコネクタＣの挿入及び抜去に伴う医療器具接続部３での流体の排出及び吸引の発生を効果的に抑制することができる。
【００４１】
また、本実施形態に係る医療用コネクタ１では、弁体収容部７の外側には、医療器具接続部３内の流路に繋がる流体連通路２９が設けられており、弁体収容部７の内周面には、流体連通路２９に繋がる連通孔２４が設けられているので、医療用コネクタ１内の流路容積に対する弁体６の変形による影響を極力小さなものとすることができ、オスコネクタ接続部２でのオスコネクタＣの挿入及び抜去に伴う医療器具接続部３での流体の排出及び吸引の発生をより一層抑制しやすくなる。
【００４２】
また、本実施形態に係る医療用コネクタ１では、弁体６のスリット１２は、前記自然状態において、頭部１１の外周面に１箇所のみで開口しており、弁体６は、ハウジング４に対して周方向に回転しないように、且つ、オスコネクタＣの挿入時にスリット１２の頭部１１の外周面における開口部が連通孔２４と対向するように配置されているので、オスコネクタＣの挿入時に流体をより確実にスムーズに流すことが可能となる。
【００４３】
また、本実施形態に係る医療用コネクタ１では、弁体６が、胴部１３の下端部に沿って周設されると共に弁体収容部７内を摺動可能な環状のシール突起１６を備えているので、流体が胴部１３の下端部を超えて弁体収容部７の底部に流入することを抑制し、該底部での汚染の発生を抑制することが可能となる。
【００４４】
さらに、本実施形態に係る医療用コネクタ１では、弁体６が、胴部１３に連なると共に弁体収容部７内で収縮変形可能な蛇腹部として形成された脚部１４を備えているので、オスコネクタ接続部２でのオスコネクタＣの挿入及び抜去に伴う頭部１１の上下方向及び径方向の収縮及び膨張変形をより確実に抑制することができるため、流体の排出及び吸引の発生をより確実に抑制することができる。
【００４５】
さらに、本実施形態に係る医療用コネクタ１では、弁体６のスリット１２は、前記自然状態において、頭部１１の上面及び外周面に開口しているものとして説明したが、必ずしもそのような構成に限られず、前記自然状態においては開口していないスリットであっても、オスコネクタ接続口５へのオスコネクタＣの挿入により、流体の排出及び吸引の発生を殆ど伴わない程度に変形することで開口するものであればよい。例えば、医療用コネクタ１は、内側ハウジング４ｂの底壁部２０から上方に突出する挿入突起２１の突出長を調整することで、オスコネクタ接続口５へのオスコネクタＣの挿入により、弁体６の胴部１３が挿入突起２１に当接してスリットが開口するようにしてもよい。
【００４６】
前述したところは本発明の一実施形態を示したにすぎず、特許請求の範囲において、種々の変更を加えてもよいことは言うまでもない。
【符号の説明】
【００４７】
１  医療用コネクタ
２  オスコネクタ接続部
３  医療器具接続部
４  ハウジング
４ａ  外側ハウジング
４ｂ  内側ハウジング
５  オスコネクタ接続口
６  弁体
７  弁体収容部
７ａ  弁体収容部の上端部
７ｂ  弁体収容部の上端部を除く部分
８  ロック用突起
９  フランジ壁部
１０  外周壁部
１１  頭部
１２  スリット
１３  胴部
１４  脚部
１５  中空部
１６  シール突起
１７  凸部
１８  凹部
１９  内周壁部
２０  底壁部
２１  挿入突起
２２  第１通気路
２３  第２通気路
２４  連通孔
２５  貫通孔
２６  シール突起
２７  凹溝部
２８  シール突起
２９  流体連通路
３０  位置決め用突起
３１  位置決め用凹部
Ｏ  軸線
Ｃ  オスコネクタ
Ｗ１  第１幅
Ｗ２  第２幅
【図１】
2016157886.tif 000003
【図２】
2016157886.tif 000004
【図３】
2016157886.tif 000005
【図４】
2016157886.tif 000006
【図５】
2016157886.tif 000007
【図６】
2016157886.tif 000008
【図７】
2016157886.tif 000009
【図８】
2016157886.tif 000010
【図９】
2016157886.tif 000011
【図１０】
2016157886.tif 000012
【図１１】
2016157886.tif 000013
【図１２】
2016157886.tif 000014
【国際調査報告】
2016157886.tif 000015
2016157886.tif 000016
2016157886.tif 000017
2016157886.tif 000018